(57)【特許請求の範囲】
【請求項１】
取付金具を外壁に貫通した抜き孔から挿入して建物の躯体に固定し、該取付金具に設けた胴縁金具を介して建物の表面に新たな外装材を取り付けるものであって、取付金具（１）は、建物の躯体に固定する固定金物（２）と、該固定金物に長さ方向に摺動自在に組み付けたスライド金物（４）と、該スライド金物の正面に取り付けた胴縁取付金物（６）とからなり、上記固定金物は、縦板（２１）と該縦板の上下面に上板（２２）と下板（２３）を当接して断面Ｈ型に形成するとともに長手方向の基端部に取付板（２４）を設けものであり、上記スライド金物は、２枚の挟持板（４１，４２）からなり先端部の当該挟持板の間にボルト保持板（４４）を設けて上記固定金物の上記縦板の厚みに相当する隙間（４３）を形成したものであり、上記固定金物に長手方向に平行する方向の横長穴（２７）を設け、上記スライド金物に上記固定金物に設けた上記横長穴と同じ高さにボルト穴（４７）を設け、上記ボルト保持板に端縁が開口し該開口部よりも奥部が広くなる形状のボルト保持穴（５０）を形成し、該ボルト保持穴にボルト頭部を嵌合しネジ部分を上記挟持板から突出させて上記ボルト保持板にセンターボルト（５１）を組み付け、上記固定金物の上記縦板を上記スライド金物の上記挟持板の間に形成した上記隙間に摺動自在に組み付け、上記スライド金物の上記ボルト穴と上記縦板の上記横長穴とに座付きボルト（４９）を通し、上記スライド金物と上記固定金物とを長さ方向に摺動させて上記取付金具全体の長さを特定して当該取付金具を建物の躯体に固定し、上記スライド金物の上記ボルト保持板に設けた上記センターボルトに上記胴縁取付金物を取り付けることを特徴とする建物の表面に外装材を取り付けるための外装材取付装置。
【発明の詳細な説明】
【０００１】
【発明の属する技術分野】
本発明は、外壁がＡＬＣ版で構成されている建物の表面に新たな外装材を取り付けるための外装材取付装置に関している。
【０００２】
【従来の技術】
外壁がＡＬＣ版で構成されている建物の表面に新たな外装材を取り付ける改修工事が普及しつつあり、一例として特開平１１−１２４９８０号発明がある。
図６は上記従来例を示しており、ＡＬＣ外壁の外側に新たな外装材を取り付けるための支持金具を建物の躯体に直接固定することにより、ＡＬＣ版に荷重をかけないようにした改修装置であって、ＡＬＣ外壁３を貫通したコア抜き孔４０から支持金具１０を挿入して建物の躯体１に固定し、支持金具１０に縦胴縁２０又は横胴縁３０を固定すると共に縦胴縁２０又は横胴縁３０に外装材を取り付けるものである。なお、支持金具１０は伸縮自在で長さ調整ができるようになっており、外部材１１の中に内部材１２に収容された円筒体であり、外部材１１の内周面に雌ネジが設けられ、内部材１２の外周面に雄ネジが設けられ、両者がねじ結合されて長さ方向に伸縮自在となっているものである。
【０００３】
上記した従来例は、新たな外装材を取り付ける支持金具１０が建物の躯体に直接固定されているから、外壁を構成しているＡＬＣ版に荷重がかからないので、ＡＬＣ版を損傷しないという利点があるが、支持金具１０が円筒体どうし又はネジ筒とネジ軸をねじ結合したものなので以下の問題点が生じている。
すなわち、支持金具１０は外部材１１を建物の躯体となるＨ型鋼１に固定し、内部材１２に縦胴縁２０をドリルネジ４１によって固定しているのであるが、ドリルネジの装着は穴あけと締付けを同時に行うので装着作業は振動を伴うものであり、このためドリルネジの装着時に外部材１１と内部材１２のねじ結合部が緩んでしまい支持金具１０の取付高さが違ってしまうことがある。
【０００４】
また支持金具１０が円筒体をねじ結合したものであるから、胴縁を取り付けた後は支持金具１０の外部材１１及び内部材１２を回転することができないので支持金具１０の長さ調整ができないようになっている。このため上記従来例では、縦胴縁２０に横胴縁３０を固定した後に該横同縁３０に新たな外装材を取り付けるに際し、支持金具１０の取付高さが一定しないことが判明しても支持金具１０の高さ調整をしないまま胴縁を取り付けなくてはならず、したがって胴縁の取付面が一定高さに仕上らないときは外装材を美麗に取り付けることができないことになる。
【０００５】
【発明が解決しようとする課題】
本発明は、外壁がＡＬＣ版で構成されている建物の表面に新たな外装材を取り付けるための外装材取付装置であって、建物の躯体に固定する取付金具は長さ調整機構を有しているが、該長さ調整機構は胴縁ないしは外装材の取付作業の振動でゆるまないようになっており、外装材を一定高さに取り付けることができるようにした外装材取付装置を提供することを課題としている。
【０００６】
【課題を解決するための手段】
解決手段の第１は、取付金具を外壁に貫通した抜き孔から挿入して建物の躯体に固定し、該取付金具に設けた胴縁金具を介して建物の表面に新たな外装材を取り付けるものであって、取付金具は、建物の躯体に固定する固定金物と、該固定金物に長さ方向に摺動自在に組み付けたスライド金物と、該スライド金物の正面に取り付けた胴縁取付金物とからなり、上記固定金物は、縦板と該縦板の上下面に上板と下板を当接して断面Ｈ型に形成するとともに長手方向の基端部に取付板を設けものであり、上記スライド金物は、２枚の挟持板からなり先端部の当該挟持板の間にボルト保持板を設けて上記固定金物の上記縦板の厚みに相当する隙間を形成したものであり、上記固定金物に長手方向に平行する方向の横長穴を設け、上記スライド金物に上記固定金物に設けた上記横長穴と同じ高さにボルト穴を設け、上記ボルト保持板に端縁が開口し該開口部よりも奥部が広くなる形状のボルト保持穴を形成し、該ボルト保持穴にボルト頭部を嵌合しネジ部分を上記挟持板から突出させて上記ボルト保持板にセンターボルトを組み付け、上記固定金物の上記縦板を上記スライド金物の上記挟持板の間に形成した上記隙間に摺動自在に組み付け、上記スライド金物の上記ボルト穴と上記縦板の上記横長穴とに座付きボルトを通し、上記スライド金物と上記固定金物とを長さ方向に摺動させて上記取付金具全体の長さを特定して当該取付金具を建物の躯体に固定し、上記スライド金物の上記ボルト保持板に設けた上記センターボルトに上記胴縁取付金物を取り付けることを特徴とするものである。
【０００７】
【発明の実施の形態】
図１は取付金具全体を示す断面図であり、図２は図１のＡ−Ａ断面図であり、図３は取付金具の部品図であり、図４は胴縁金具であり、図５は胴縁金具をＡＬＣ外壁の表面に構築した図である。
取付金具１は、建物の躯体に固定する固定金物２と、該固定金物２に組み付けて取付金具１の長さを特定するスライド金物４と、該スライド金物４の正面に取り付ける胴縁取付金物６とからなる。取付金具１は固定金物２にスライド金物４及び胴縁取付金物６を組み付けた状態で建物外壁であるＡＬＣ外壁８にあけたコア抜き孔９から挿入して建物の躯体となっているＨ型鋼１０に固定し、次いでＡＬＣ外壁８の表面に胴縁金具７を構築した後、新しい外装材は当該胴縁金具７に取り付ける。
【０００８】
図３において、上記固定金物２は、縦板２１の上下面に上板２２と下板２３を当接して断面Ｈ型に形成するとともに、長手方向の基端部に取付板２４を設けたものであって、取付板２４を建物の躯体となるＨ型鋼１０に当接固定するものである。２５は取付板２４の上方部で縦板２１によって区画された両区域に穿孔した穴であって、この穴２５にドリル付きボルト２６を挿入して固定金物２を建物の躯体（Ｈ型鋼１０）に取り付ける。２７は縦板２１に長手方向に平行して設けた横長穴である。
【０００９】
上記スライド金物４は、２枚の挾持板４１，４２からなり、前記固定金物２の縦板２１の厚みに相当する隙間４３を設けたものであって、２枚の挾持板４１，４２の先端部に前記縦板２１と同一厚さのボルト保持板４４を固着して両挾持板４１，４２を固定すると同時に隙間４３を確保している。なお、挾持板４１，４２には上端部及び下端部に外側に向って折曲した鍔部４５，４６が形成されている。また、挾持板４１，４２には前記固定金物２の縦板２１に設けた横長穴２７と同じ高さにボルト穴４７を設け、一方の挾持板４２にあけたボルト穴４７にはナット板４８を設けており、スライド金物４を固定金物２に対し長さ方向に摺動自在に組み付けたときに、板を横切る方向に設けた座付きボルト４９をボルト穴４７および横長穴２７を通してナット板４８にねじ締め固定して取付金具１を長さ方向に伸縮自在としたものである。
【００１０】
また、上記ボルト保持板４４にはボルト保持穴５０が形成されている。該ボルト保持穴５０はボルト保持板４４の端縁に開口しており、さらに開口部よりも奥部が広くなる形状に形成されている。５１はボルト保持板４４に組み付けるセンターボルトであって、ボルト頭部５２が該ボルト保持板４４の厚みと同じ厚さに形成されるとともに、正面視の形状がボルト保持穴５０と同じ形状に形成されている。センターボルト５１はボルト保持板４４を挾持板４１，４２に固着するときに、予めボルト頭部５２をボルト保持穴５０に正面から嵌合し、ねじ部分を挾持板４１，４２から突出した状態のままボルト保持板５０を挾持板４１，４２に溶接することでスライド金物４に組み付けられる。なお、センターボルト５１はスライド金物４に溶接などによって固着していてもよいが、実施例のように自由状態でかつ脱落しないように組み付けると胴縁取付金物６の取り付けが容易となる。
【００１１】
上記胴縁取付金物６は、スライド金物４のセンターボルト５１に取り付けるコ字型金具６１であり、該コ字型金具６１の自由端６２に胴縁金具７をドリル付きボルト６３によって固定する。なお、コ字型金具６１をスライド金物４に取り付ける際は、スライド金物４の先端部にカバーボックス６４を被せ、中央部にあけた透孔６５からセンターボルト５１を突出し、ワッシャー５４を介してナット５３を締め付け固定する。６６はＡＬＣ外壁８のコア抜き孔９を塞ぐ目隠しプレートであって正面視形状が円形であり、中心部に前記カバーボックス６４に嵌合する窓孔６７を形成する。目隠しプレート６６は、ＡＬＣ外壁８との間ならびにカバーボックス６４との間にシール材６８を塗布して建物内側に雨水などが侵入するのを防止している。
【００１２】
図４において、上記胴縁金具７は、正面取付部７１の長手方向に沿う両側縁部に断面がコ字型を呈する側縁溝７２を形成するとともに該側縁溝７２の間に中央嵌合溝７３を設けたものである。そして胴縁金具７は上記中央嵌合溝７３をコ字型金具６１に嵌合し、側縁溝７２の底部７４とコ字型金具６１の自由端６２をドリル付きボルト６３で固定している。実施例の胴縁金具７は、横胴縁と縦胴縁をかねるものであって、図１に示した胴縁金具は横方向に使用しているので横胴縁となっている。７５は横胴縁と縦胴縁を接続する接続金具であって、天板７６及び側板７７が正面視コ字型に形成されており、天板７６を横胴縁７ａの側縁溝７２内に挿入して該天板７６と底部７４をタッピングネジ７８で固定し、当該側縁溝７２から突出する側板７７を横胴縁７ａに直交して設けた縦胴縁７ｂの側縁溝７２内に挿入してこれもタッピングネジ７８により固定する。
【００１３】
次に、外装材を取り付ける作業の手順を説明する。まず、建物の外壁であるＡＬＣ外壁８にコアドリルによって孔をあけコア抜き孔９から組み立てられた取付金具１を挿入し、ドリル付きボルト２６によって該取付金具１をＨ型鋼１０に固定する。取付金具１はＡＬＣ外壁８の表面に突出する長さに調整するが、Ｈ型鋼１０に固定した後の長さ調整は、固定金物２とスライド金物４を結合している座付きボルト４９をゆるめてスライド金物４を前後させて行う。座付きボルト４９の締め付け又は戻し作業は、例えば入力軸と出力軸をチェンで伝達し出力軸をソケットとすることにより、本体を動かさずにチェンの伝達だけでソケットを回転してボルト、ナットを回転できる工具を使用する。
実施例では、バリヤー商事株式会社製の「バリヤーレンチ（商品名）」を使用した。
【００１４】
取付金具１がＡＬＣ外壁８の前面から突出して取り付けられたら、取付金具１に目隠しプレート６６を嵌合してコア抜き孔９を塞ぎ、同時にＡＬＣ外壁８との間およびカバーボックス６４との間にシール材６８を充填して雨水が建物内部に侵入するのを防止する。次いで、コ字型金具６１に胴縁金具７をドリル付きボルト６３で固定する。図５に示すように、胴縁金具７は横胴縁７ａ及び縦胴縁７ｂを適宜に組み合わせてＡＬＣ外壁８の表面に正面取付部７１を外側に向けて構築し、これら横胴縁７ａ及び縦胴縁７ｂに外装材８０を取り付ける。胴縁金具７は横及び縦に使用するものを接続金具７５を使用して同一平面上に構築できるのでＡＬＣ外壁８と外装材８０との間はわずかな空間でよく、隣接する建物との間が狭い場合でも施工可能なものとなる。
【００１５】
実施例において、固定金物２は、縦板２１が高さ５８ｍｍ，長さ１２０ｍｍ，厚さ６ｍｍ，上板２２及び下板２３が幅４５ｍｍ，厚さ６ｍｍである。又、スライド金物４は、厚さ３．２ｍｍ，隙間６ｍｍであり、固定金物２とスライド金物４のスライド長さは５０ｍｍである。なお、ＡＬＣ外壁８にあけたコア抜き孔９の直径は１００ｍｍである。
【００１６】
【発明の効果】
本発明は、ＡＬＣ外壁の表面に構築する胴縁を取り付けるための取付金具が、長さ調整機構を備えているが、該長さ調整機構は固定金物とスライド金物の重合部分をボルト締めにより固定したものであるから、胴縁並びに外装材の取り付けに際し長さ調整機構がゆるんだりせず、したがって外装材取付面の高さが一定し外装材を均一な高さに仕上げることができる効果がある。
【図面の簡単な説明】
【図１】取付金具を組み立てた全体の断面図。
【図２】図１のＡ−Ａ断面図。
【図３】取付金具の各部品を示す斜視図。
【図４】胴縁金具と胴縁金具を接続する接続金具の斜視図。
【図５】胴縁金具をＡＬＣ外壁の表面に構築した状態を示す斜視図。
【図６】従来技術を示す斜視図。
【符号の説明】
１  取付金具
２  固定金物
４  スライド金物
６  胴縁取付金物
７  胴縁金具
８  ＡＬＣ外壁
９  コア抜き孔
１０  Ｈ型鋼
２１  縦板
２２  上板
２３  下板
２４  取付板
２５  穴
２６  ドリル付きボルト
２７  横長穴
４１  挾持板
４２  挾持板
４３  隙間
４４  ボルト保持板
４５  鍔部
４６  鍔部
４７  ボルト穴
４８  ナット板
４９  座付きボルト
５０  ボルト保持穴
５１  センターボルト
５２  ボルト頭部
５３  ナット
５４  ワッシャー
６１  コ字型金具
６２  自由端
６３  ドリル付きボルト
６４  カバーボックス
６５  透孔
６６  目隠しプレート
６７  窓孔
６８  シール材
７１  正面取付部
７２  側縁溝
７３  中央嵌合溝
７４  底部
７５  接続金具
７６  天板
７７  側板
７８  タッピングネジ
８０  外装材
【図１】
0003709556.tif 000002
【図２】
0003709556.tif 000003
【図３】
0003709556.tif 000004
【図４】
0003709556.tif 000005
【図５】
0003709556.tif 000006
【図６】
0003709556.tif 000007